(57)【特許請求の範囲】
【請求項１】
挫屈防止板などの物品を取付けて支持する支持板を設けた止着基枠に、横部片と縦部片とから成る略Ｌ字形の、一対の挟持枠を、前記両部片の交差部において横軸揺動自在に枢着して、しかも、コンクリート枕木の係合間隙を存して相対設し、該挟持枠の前記横部片にねじ孔を縦設し、該ねじ孔に、前記コンクリート枕木上に載せる、前記基枠の部片を介して前記コンクリート枕木に先端が圧接する操作ボルトを螺合すると共に、挟持枠の縦部片の先端部には、前記部片とで前記コンクリート枕木の下面に係止する係止部片を折り曲げ状にして設けた、コンクリート枕木用物品止着具。
【発明の詳細な説明】
【技術分野】
【０００１】
本発明は、鉄道レールのコンクリート枕木の周辺に配する、挫屈防止板や、レール交換時に用いるレール移動用のローラなどの物品のコンクリート枕木用止着具に関するものである。
【背景技術】
【０００２】
コンクリート枕木の周辺にレールの挫屈防止板などの物品（機器）を設置する際、枕木に組付けてその設置の安定化を図ることがあり、例えば、特許文献１に所載の通り、挫屈防止板に設けた当接部片と、挫屈防止板と別体の固定材とでコンクリート枕木を挟持せしめ、該挟持状態を挫屈防止板と固定材をボルトとナットとで締付けて保持するようにして、前記挫屈防止板をコンクリート枕木に固着するようにした構造のものがある（例えば、特許文献１）。
【先行技術文献】
【特許文献】
【０００３】
【特許文献１】特開平９−７８５０６号公報
【発明の概要】
【発明が解決しようとする課題】
【０００４】
前記従来例は、枕木の周辺に設置する物品（機器）である挫屈防止板それ自体に、枕木に対する固着手段を設けたものであるから、当該挫屈防止板以外の物品の、枕木に対する止着に、当然のことながら適用できる構造のものではない。
【０００５】
本発明は、枕木の周辺に特定の使用目的の下に設置する物品（機器）と無関係にコンクリート枕木に止着でき、前記物品は枕木に対して間接的に取付けられるようにして、汎用性の有るコンクリート枕木用物品止着具を提案するものである。
【課題を解決するための手段】
【０００６】
挫屈防止板などの物品を取付けて支持する支持板を設けた止着基枠に、横部片と縦部片とから成る略Ｌ字形の、一対の挟持枠を、前記両部片の交差部において横軸揺動自在に枢着して、しかも、コンクリート枕木の係合間隙を存して相対設し、該挟持枠の前記横部片にねじ孔を縦設し、該ねじ孔に、前記コンクリート枕木上に載せる、前記基枠の部片を介して前記コンクリート枕木に先端が圧接する操作ボルトを螺合すると共に、挟持枠の縦部片の先端部には、前記部片とで前記コンクリート枕木の下面に係止する係止部片を折り曲げ状にして設けた構成とする。
【発明の効果】
【０００７】
本発明によれば、操作ねじを操作することにより挟持枠は揺動して縦部片の、先端の係止部片がコンクリート枕木下面と相対する位置に配され、この掛止部片と前記ねじ操作によりコンクリート枕木の上面に圧接される基枠部片とでコンクリート枕木を上下（高さ）方向に挟持して枕木に確実に止着でき、物品はコンクリート枕木とは無関係に基枠に備えた支持板に取付けることで、コンクリート枕木に間接的に取付けることになるから、種々の物品の取付けに適用できる汎用性の有る、利用範囲の広い止着具を提供できる。
【図面の簡単な説明】
【０００８】
【図１】コンクリート枕木に固着した状態を示す一部欠截正面図。
【図２】図１のｘ−ｘ線断面図。
【図３】コンクリート枕木に組付ける前の状態を示す一部欠截正面図。
【図４】一使用状態を示す側面図。
【図５】他の使用状態を示す側面図。
【実施例】
【０００９】
図面は本発明に係るコンクリート枕木用物品止着具の一実施例を示し、物品止着具Ａは、止着基枠１と、一対の挟持枠２とを互いに組付けて構成したものである。
【００１０】
止着基枠１は、長方形状の前面板３と後面板４を、長手方向の両端位置に配した一対の上側仲介板５，５と、該上側仲介板５，５間中央部に配した下側仲介板６を介して互いに接続して（熔接して）構成して、上面を額縁状にして窓口７を備えた金属製枠体で成り、前、後面板３，４の、長手方向の両端の上部には支軸８を受支する支持孔９，９´を設け、前面板３側の支持孔９をねじ孔とし、この支持孔９，９´間の前記前面板３部には、上下一対を一組とする螺合孔１０Ｂ，１０´Ｂと該螺合孔１０Ｂ，１０´Ｂの左右に等間隔を置いて、各一対の螺合孔１０Ａ，１０´Ａ、１０Ｃ，１０´Ｃを対称的に並設して構成してある。
【００１１】
なお、実施例の前面板３は、これら螺合孔１０Ａ等を備えることにより「請求項」でいう「支持板」を構成する。また、前面板３（支持板）に設けた螺合孔（ねじ孔）１０Ａ等の数、配置態様は自由に選択すれば良く、例えば、あり溝を当該前面板３に設けて、該あり溝に物品を摺嵌して、物品を前面板３（支持板）に取付け、支持させるようにしても良い。従って、物品の取付け手段は、螺合孔１０Ａ等に限らず自由に選択すれば良い。
【００１２】
前記一対の挟持枠２，２は、横部片１１と縦部片１２とから成り、止着基枠１の前、後面板３，４間の間隙７ｘ幅よりわずかに狭い奥行幅を備えた、ほぼＬ字形の金属製枠体で成り、横部片１１と縦部片１２の交差部２ｘに前記支軸８を挿通させる軸孔１３を設けると共に、横部片１１の、止着基枠１の前記下側仲介板６に上下方向に重なり合う先端部には、縦方向のねじ孔１４を設け、また、縦部片１２の先端部（下端部）には折り曲げ状にして係止部片１５を設けて成るものである。因みに、止着基枠１と挟持枠２は鋼材で構成してある。
【００１３】
そして、止着基枠１の前記前面板３と後面板４との間の前記間隙７ｘ内に、挟持枠２を、縦部片１２において差し込むようにして組合わせ、挟持枠２の軸孔１３と止着基枠１側の支持孔９，９´を互いに一致させて、一方の支持孔９´側よりボルトで成る支軸８を貫通させ、軸孔１３より突出する支軸８の先端を、他方の支持孔９´（ねじ孔で構成した）に螺合して締付けることにより、止着基枠１に一方の挟持枠２を取付け、また、他方の挟持枠２を同様に、一方の挟持枠２に対してコンクリート枕木ｍの係合間隙ａを存して止着基枠１に取付けることにより、一対の挟持枠２が止着基枠１に対称的に組付けられ、この組付け状態を得て、前記窓口６を通じて操作ボルト１６を、各挟持枠２のねじ孔１４に螺合組付けることにより実施例の物品止着具Ａを得られる。すなわち、止着基枠１に、横部片１１と縦部片１２とから成る、ほぼＬ字形の、一対の挟持枠２，２を、前記両部片１１，１２の交差部２ｘにおいて横軸（支軸８で構成する）回動自在に相対して枢着して構成した実施例の物品止着具Ａを得られるのである。
【００１４】
そして、操作ボルト１６を回すと、該操作ボルト１６はねじ孔１４に螺合してあるので、ねじ孔１４に沿って前進（降下）し、その先端が止着基枠１の前記下側仲介板６（「請求項」でいう「基枠の部片」に対応）に接して前進が規制され、この規制状態時に前記の回し操作を継続すると、操作ボルト１６は下側仲介板６との接触位置にあって回転するだけであるので、該操作ボルト１６が螺合するねじ孔１４が操作ボルト１６（のねじ）に沿って上昇することになり、その結果、該ねじ孔１４を備えた挟持枠２は支軸８を中心にして揺動し、該挟持枠２の縦部片１２の先端に備えた係止部片１５はコンクリート枕木ｍの下面との対向位置に移動され、最終的には、該係止部片１５と下側仲介板６とでコンクリート枕木ｍを挟持し、物品止着具Ａは枕木ｍに止着されることになる。
【００１５】
なお、各挟持枠２，２は、同時又は異時に対応する操作ボルト１６を操作することにより枕木ｍはその係止部片１５が係止し、該一対の挟持枠２，２と基枠１は枕木ｍを抱持されたような態様で枕木ｍに止着される。
【００１６】
各挟持枠２の内端縁の形状を図１や図２の２点鎖線で示す通り、コンクリート枕木ｍの外周形に近似させ、又は近似させないまでも、内端縁の一部が枕木ｍの外周縁に接触させるようにすると、止着具は枕木ｍにより強固に止着される。
【００１７】
そして、この止着状態において、止着基枠１の前面板３（「請求項」でいう「支持板」）に設けた螺合穴１０Ａ，１０´Ａ、１０Ｂ，１０´Ｂ、１０Ｃ，１０´Ｃの適宜のものに、挫屈防止板Ｂ（図４）の組付け板Ｂ１やレール移動用ローラＲ（図５）の取付け板Ｒ１を通じて取付けボルトｂを螺合することにより挫屈防止板Ｂ等はコンクリート枕木ｍに止着され、道床上に設置される。
【００１８】
なお、止着基枠１に対する物品（図示では挫屈防止板Ｂとレール移動用ローラを示すが）の取付け手段は自由で、前記の通り、実施例のように螺合孔１０Ａ等を用いる必要はない。
【００１９】
本発明はレールに止着具を止着し、該止着具に物品を取付けて、該止着具を介して物品をレールに取付けられるところに利点があるものである。図中、２０は吊上げ用のフックである。
【符号の説明】
【００２０】
１      止着基枠
２      挟持枠
３      止着基枠の前面板
１１    横部片
１２    縦部片
１４    ねじ孔
１５    係止部片
１６    操作ボルト
ａ      係合間隙
ｍ      コンクリート枕木
【図１】
0005543296.tif 000002
【図２】
0005543296.tif 000003
【図３】
0005543296.tif 000004
【図４】
0005543296.tif 000005
【図５】
0005543296.tif 000006